(57)【特許請求の範囲】
【請求項１】
使用者の頭部に着脱自在に装着される表示ユニットと、
前記表示ユニットと有線または無線により接続される携帯ユニットと、を備える情報表示装置において、
前記携帯ユニットは、
使用者の行動状態を判別する行動状態判別部と、
前記行動状態判別部から取得した前記使用者の行動状態の判別結果に基づいて、前記表示ユニットに表示する情報の連続表示時間を制御する制御信号を生成する表示制御部と、
を有することを特徴とする情報表示装置。
【請求項２】
前記行動状態判別部は、前記使用者の歩行中／非歩行中を判別する、ことを特徴とする請求項１に記載の情報表示装置。
【請求項３】
前記表示制御部は、
歩行中及び非歩行中のそれぞれの連続表示時間の所定の設定値を格納するメモリと、
歩行中及び非歩行中のそれぞれの表示時間を計測するカウンタと、を備えることを特徴とする請求項２に記載の情報表示装置。
【請求項４】
前記メモリに格納される歩行中の連続表示時間の設定値は、前記メモリに格納される非歩行中の連続表示時間の設定値に比べ短い、ことを特徴とする請求項３に記載の情報表示装置。
【請求項５】
前記表示ユニットは、表示素子と、前記表示素子の駆動を制御する表示素子ドライブ部と、を備え、
前記表示素子ドライブ部は、前記表示制御部からの制御信号に基づき、前記表示素子の駆動を制御する、ことを特徴とする請求項１乃至４のいずれかに記載の情報表示装置。
【請求項６】
前記行動状態判別部は、加速度センサ、傾斜センサ、角速度センサ、振動センサ、脈拍センサ、位置センサの少なくとも一つのセンサを備え、該センサの出力に基づいて前記使用者の歩行中／非歩行中を判別する、ことを特徴とする請求項２乃至５のいずれかに記載の情報表示装置。
【請求項７】
使用者の頭部に着脱自在に装着される表示ユニットと、
前記表示ユニットと有線または無線により接続される携帯ユニットと、を備える情報表示装置において、
前記表示ユニットは、
使用者の行動状態を判別する行動状態判別部を有し、
前記携帯ユニットは、
前記行動状態判別部から取得した前記使用者の行動状態の判別結果に基づいて、前記表示ユニットに表示する情報の連続表示時間を制御する制御信号又は前記表示ユニットへの情報表示の表示／非表示を制御する制御信号を生成する表示制御部を有し、
前記行動状態判別部は、前記使用者の歩行中／非歩行中を判別し、
前記表示制御部は、
歩行中及び非歩行中のそれぞれの連続表示時間の所定の設定値を格納するメモリと、
歩行中及び非歩行中のそれぞれの表示時間を計測するカウンタと、を備えることを特徴とする情報表示装置。
【請求項８】
前記メモリに格納される歩行中の連続表示時間の設定値は、前記メモリに格納される非歩行中の連続表示時間の設定値に比べ短い、ことを特徴とする請求項７に記載の情報表示装置。
【請求項９】
前記表示ユニットは、表示素子と、前記表示素子の駆動を制御する表示素子ドライブ部と、を備え、
前記表示素子ドライブ部は、前記表示制御部からの制御信号に基づき、前記表示素子の駆動を制御する、ことを特徴とする請求項７又は８に記載の情報表示装置。
【請求項１０】
前記表示制御部は、前記使用者が歩行中であると判別された場合は前記表示ユニットの表示をＯＦＦにする制御信号を生成し、前記使用者が非歩行中であると判別された場合は前記表示ユニットの表示をＯＮにする制御信号を生成する、ことを特徴とする請求項７に記載の情報表示装置。
【請求項１１】
前記行動状態判別部は、使用者の行動状態の判別結果を保存するメモリを備え、前記メモリの保存された前回の判別結果と現在の判別結果とを比較し、判別結果が異なる場合に、前記メモリに保存される判別結果の更新処理及び更新した行動状態の判別結果の前記表示制御部への通知処理を行うことを特徴とする請求項７乃至１０のいずれかに記載の情報表示装置。
【請求項１２】
前記行動状態判別部は、加速度センサ、傾斜センサ、角速度センサ、振動センサ、脈拍センサ、位置センサの少なくとも一つのセンサを備え、該センサの出力に基づいて前記使用者の歩行中／非歩行中を判別する、ことを特徴とする請求項７乃至１１のいずれかに記載の情報表示装置。
【発明の詳細な説明】
【技術分野】
【０００１】
本発明は、情報表示装置、特に頭部装着型の情報表示装置に関するものである。
【背景技術】
【０００２】
従来、使用者の頭部に装着して表示部に表示された情報を観察する情報表示装置が種々提案されている（例えば、特許文献１、２、３参照）。このような頭部装着型の情報表示装置は、いわゆるヘッドマウントディスプレイと称され、眼鏡型、ゴーグル型、ヘルメット型等の構成のものが知られている。
【０００３】
ところで、頭部装着型の情報表示装置には、使用者が意図的に情報表示装置を使用する場合に加えて、使用者が情報表示装置を使用する意図が無い場合においても装着できるように構成された常時装着型のものがある。この常時装着型の情報表示装置では、使用者は外界の視覚情報を常時観察することができ、また、情報表示装置の使用においては、情報表示装置により外界の視野に重畳的に表示される情報を観察することができるように構成されている。
【０００４】
そして、このような常時装着型の情報表示装置として、使用者の行動状態に応じて、例えば、歩行中、注視中、発話中等に応じて、表示文字サイズ、文字数に対するアイコン数、スクロール表示の可否、最大文字数を制御するようにしたものが提案されている（例えば、特許文献４参照）。
【先行技術文献】
【特許文献】
【０００５】
【特許文献１】特開平７−２６１１１２号公報
【特許文献２】特開平７−２９４８４４号公報
【特許文献３】特開２００４−２３６２４２号公報
【特許文献４】特開２００７−１６３６３４号公報
【発明の概要】
【発明が解決しようとする課題】
【０００６】
上記特許文献４に開示の情報表示装置によると、使用者の行動状態に適した情報の表示が行われるので、使用者は行動に応じた観察し易い表示態様の情報を観察することが可能となる。
【０００７】
しかしながら、上記の情報表示装置は、使用者の行動状態に応じて表示態様を制御するもので、表示時間については考慮されていない。そのため、例えば、使用者が情報表示装置をあまり見ないと想定される歩行中にも情報が常に表示されて、電力が消費されてしまうことが想定される。
【０００８】
本発明は、かかる課題を解決するためになされたもので、電力の消費を効率的に削減できる情報表示装置を提供することを目的とするものである。
【課題を解決するための手段】
【０００９】
上記目的を達成する本発明は、
使用者の頭部に着脱自在に装着される表示ユニットと、
前記表示ユニットと有線または無線により接続される携帯ユニットと、を備える情報表示装置において、
前記携帯ユニットは、
使用者の行動状態を判別する行動状態判別部と、
前記行動状態判別部から取得した前記使用者の行動状態の判別結果に基づいて、前記表示ユニットに表示する情報の連続表示時間を制御する制御信号を生成する表示制御部と、
を有することを特徴とするものである。
【００１０】
本発明によると、使用者の行動状態に応じて情報の連続表示時間が制御されるので、電力の消費が効率的に削減される。
【００１１】
本発明の一実施の形態においては、前記行動状態判別部により、前記使用者の歩行中／非歩行中を判別する。
【００１２】
本発明によると、使用者が表示情報をあまり見ないと想定される歩行時の連続表示時間を、非歩行時と比較して短くでき、これにより電力の消費を効果的に抑えることが可能となる。
【００１３】
本発明の一実施の形態においては、前記行動状態判別部を、加速度センサ、傾斜センサ、角速度センサ、振動センサ、脈拍センサ、位置センサの少なくとも一つのセンサを備え、該センサの出力に基づいて前記使用者の歩行中／非歩行中を判別するように構成する。
【００１４】
さらに、上記目的を達成する本発明は、
使用者の頭部に着脱自在に装着される表示ユニットと、
前記表示ユニットと有線または無線により接続される携帯ユニットと、を備える情報表示装置において、
前記表示ユニットは、
使用者の行動状態を判別する行動状態判別部を有し、
前記携帯ユニットは、
前記行動状態判別部から取得した前記使用者の行動状態の判別結果に基づいて、前記表示ユニットに表示する情報の連続表示時間を制御する制御信号又は前記表示ユニットへの情報表示の表示／非表示を制御する制御信号を生成する表示制御部を有し、
前記行動状態判別部は、前記使用者の歩行中／非歩行中を判別し、
前記表示制御部は、
歩行中及び非歩行中のそれぞれの連続表示時間の所定の設定値を格納するメモリと、
歩行中及び非歩行中のそれぞれの表示時間を計測するカウンタと、を備えることを特徴とするものである。
【００１５】
本発明によると、使用者の行動状態に応じて情報の表示／非表示が制御されるので、電力の消費が効率的に削減される。
【発明の効果】
【００１６】
本発明によれば、電力の消費を効率的に削減できる情報表示装置が提供される。
【図面の簡単な説明】
【００１７】
【図１】本発明の第１実施の形態に係る情報表示装置の一使用形態を示す図である。
【図２】図１の情報表示装置の概略構成を示す機能ブロック図である。
【図３】図２の表示制御部の動作を示すフローチャートである。
【図４】本発明の第２実施の形態に係る情報表示装置の概略構成を示す機能ブロック図である。
【図５】図４の行動状態判別部の動作を示すフローチャートである。
【図６】図４の表示制御部の動作を示すフローチャートである。
【図７】本発明の第３実施の形態に係る情報表示装置の概略構成を示す機能ブロック図である。
【発明を実施するための形態】
【００１８】
以下、本発明の実施の形態について、図を参照して説明する。
【００１９】
（第１実施の形態）
図１は、本発明の第１実施の形態に係る情報表示装置の一使用形態を示す図である。図１は、使用者Ｕが情報表示装置１００を装着して、歩行している状態を示している。情報表示装置１００は、頭部装着型のもので、使用者Ｕの上着のポケット等に収納されて携帯される携帯ユニット２００と、使用者Ｕの頭部に着脱自在に装着される表示ユニット３００とを備える。携帯ユニット２００および表示ユニット３００は、有線または無線により接続される。なお、携帯ユニット２００は、装置専用に構成される場合もあるし、携帯電話を用いてプログラムにより実行されるように構成される場合もある。
【００２０】
図１に示す情報表示装置１００は、使用者Ｕが常時装着、すなわち、使用を意図しているときだけ適宜装着されるものではなく、使用を意図しないときでも装着可能である。そして、使用者Ｕは、表示ユニット３００を頭部に装着していても、外界の視野による観察を阻害されることがない。さらに、表示ユニット３００は、小型、軽量に構成されていることから、使用者Ｕは、表示ユニット３００を頭部に装着していても、装着している状態を意識すること無く行動することが可能となっている。
【００２１】
図２は、図１に示した情報表示装置１００の概略構成を示す機能ブロック図である。携帯ユニット２００は、情報取得部２１０、行動状態判別部２２０、表示制御部２３０．送信データ変換部２４０および送信部２５０を備える。情報取得部２１０は、ＷＡＮ（Wide Area Network）等の通信ネットワークＮＷを介して情報（コンテンツ）を取得し、その取得した情報を表示制御部２３０に供給する。
【００２２】
行動状態判別部２２０は、使用者Ｕの行動状態を判別して、その判別結果を表示制御部２３０に供給する。本実施の形態では、使用者Ｕの行動状態として、歩行中／非歩行中を判別する。そのため、行動状態判別部２２０は、加速度センサ、傾斜センサ、角速度センサ、振動センサ、脈拍センサ、ＧＰＳ（Global Positioning System）を利用した位置センサの少なくとも一つのセンサ２２１を備え、そのセンサ２２１の出力に基づいて使用者Ｕの歩行中／非歩行中を判別して、その判別結果を表示制御部２３０に供給する。
【００２３】
ここで、センサ２２１は、その種別に応じて適切に配置されて、歩行中／非歩行中を判別するための情報を検出する。例えば、加速度センサの場合は、使用者Ｕの歩行の加速度を検出する。傾斜センサの場合は、使用者Ｕの体の部位の傾斜を検出する。例えば、使用者Ｕが歩行している場合は、腕や足等の傾斜が規則的に変化するので、腕時計型の傾斜センサにより腕首の傾斜を検出する。あるいは、靴底に傾斜線センサを設けて、足裏の傾斜を検出する。角速度センサの場合は、使用者Ｕの歩行に起因する体の部位の角速度を検出する。振動センサの場合は、歩行者Ｕの歩行により生ずる振動を検出する。脈拍センサの場合は、歩行者Ｕの心拍数を検出する。そして、位置センサの場合は、ＧＰＳにより使用者Ｕの所在位置と方向を検出する。なお、携帯電話を用いて携帯ユニット２００を構成する場合は、位置センサを設ける代わりに、携帯電話の位置情報サービスを用いることができる。
【００２４】
表示制御部２３０は、情報取得部２１０が取得した情報を映像データとして送信データ変換部２４０に供給する。また、表示制御部２３０は、行動状態判別部２２０から取得した使用者Ｕの行動状態の判別結果に基づいて表示ユニット３００の制御信号を生成し、その制御信号を送信データ変換部２４０に供給する。送信データ変換部２４０は、表示制御部２３０からの映像データおよび制御信号を、表示ユニット３００への送信に適したデータに変換して、送信部２５０から表示ユニット３００に送信する。
【００２５】
一方、表示ユニット３００は、受信部３１０、受信データ処理部３２０、表示素子ドライブ部３３０および表示素子３４０を備える。受信部３１０は、携帯ユニット２００からの送信データを受信して受信データ処理部３２０に供給する。受信データ処理部３２０は、受信データを表示素子ドライブ部３３０が処理可能な信号に変換して表示素子ドライブ部３３０に供給する。これにより、表示素子ドライブ部３３０は、携帯ユニット２００からの送信データに基づいて表示素子３４０の駆動を制御する。なお、表示素子３４０は、例えば、液晶パネルやＥＬ（Electro Luminescence）パネルにより構成される。
【００２６】
本実施の形態に係る情報表示装置１００は、行動状態判別部２２０により判別される使用者Ｕの歩行中／非歩行中を示す行動状態に応じて、表示素子３４０に表示する情報の連続表示時間を制御する。そのため、表示制御部２３０には、歩行中および非歩行中のそれぞれの連続表示時間の設定値を格納するメモリ２３１、歩行中および非歩行中のそれぞれの表示時間を計測するカウンタ２３２，２３３が設けられている。なお、メモリ２３１に格納される歩行中および非歩行中の連続表示時間は、例えば、歩行中においては５秒、非歩行中においては３０秒に設定する。この連続表示時間は、固定的に設定してもよいし、使用者Ｕにより適宜設定可能に構成してもよい。
【００２７】
ここで、携帯ユニット２００は、センサ２２１を除く全部または一部を、ＣＰＵ （中央処理装置）等の任意の好適なプロセッサ上で実行されるソフトウェアとして構成したり、各処理に特化した専用のプロセッサ（例えば、ＤＳＰ（デジタルシグナルプロセッサ））によって構成することができる。
【００２８】
図３は、表示制御部２３０の動作を示すフローチャートである。表示制御部２３０は、情報取得部２１０から情報を取得すると（Ｓ３０１）、表示素子３４０をＯＮにする制御信号を生成し、その制御信号を取得した情報（映像データ）とともに送信データ変換部２４０および送信部２５０を経て表示ユニット３００に送信して、表示素子ドライブ部３３０により、表示素子３４０に情報を表示させる（Ｓ３０２）。これと同時に、表示制御部２３０は、歩行カウンタ２３２および非歩行カウンタ２３３をそれぞれ初期化して（Ｓ３０３）、連続表示時間の計測ループを開始する（Ｓ３０４）。
【００２９】
連続表示時間の計測ループでは、先ず、非歩行カウンタ２３３のカウント値から、連続表示時間が、メモリ２３１に格納されている非歩行中の連続表示時間（例えば３０秒）に達したか否かを監視する（Ｓ３０５）。その結果、非歩行中の連続表示時間に達していなければ、表示制御部２３０は、所定のタイミング、例えば１秒毎に、行動状態判別部２２０から使用者Ｕの現在の行動状態を取得して（Ｓ３０６）、歩行中か非歩行中かを判別する（Ｓ３０７）。その結果、非歩行中と判別した場合は、歩行カウンタ２３２を初期化し、非歩行カウンタ２３３をインクリメントして（Ｓ３０８）、計測ループの先頭に移行する（Ｓ３０９）。
【００３０】
これに対し、Ｓ３０７において、歩行中と判別した場合は、歩行カウンタ２３２をインクリメントし、非歩行カウンタ２３３を初期化する（Ｓ３１０）。そして、インクリメントした歩行カウンタ２３２のカウント値が、メモリ２３１に格納されている歩行中の連続表示時間（例えば５秒）に達したか否かを判定する（Ｓ３１１）。その結果、歩行中の連続表示時間に達していなければ、計測ループの先頭に移行する（Ｓ３０９）。これに対し、歩行中の連続表示時間に達していれば、表示素子３４０をＯＦＦにする制御信号を生成し、その制御信号を送信データ変換部２４０および送信部２５０を経て表示ユニット３００に送信して、表示素子ドライブ部３３０により表示素子３４０をＯＦＦ、つまり表示を停止し（Ｓ３１２）、処理を終了する。
【００３１】
一方、Ｓ３０５において、非歩行カウンタ２３３のカウント値に対応する連続表示時間が、メモリ２３１に格納されている非歩行中の連続表示時間に達していれば、Ｓ３１３において表示素子３４０をＯＦＦにして、処理を終了する。したがって、本実施の形態において、表示素子に表示する情報の連続表示時間を制御する制御部は、携帯ユニット２００の表示制御部２０３および表示ユニット３００の表示素子ドライブ部３０３を含んで構成される。
【００３２】
このように、本実施の形態においては、使用者Ｕの歩行中／非歩行中の行動状態に応じて、表示素子３４０に表示する情報の連続表示時間を制御するようにしたので、使用者Ｕが表示情報をあまり見ないと想定される歩行中は、非走行中の場合と比較して連続表示時間を短くすることができる。これにより、装置の電力の消費を効率的に削減することができる。
【００３３】
（第２実施の形態）
図４は、本発明の第２実施の形態に係る情報表示装置の概略構成を示す機能ブロック図である。本実施の形態に係る情報表示装置１０１は、使用者の行動状態に応じて、表示素子３４０への情報の表示／非表示を制御するもので、図２に示した情報表示装置１００と比較して、行動状態判別部２２０にメモリ２２２が付加されており、表示制御部２３０のメモリ２３１、歩行カウンタ２３２および非歩行カウンタ２３３が省略されている。
【００３４】
図５は、図４の行動状態判別部２２０の動作を示すフローチャートである。行動状態判別部２２０は、例えば装置がＯＮすると、センサ２２１の出力に基づいて所定のタイミングで、好ましくは０．５〜１秒周期で、使用者Ｕの行動状態（歩行中／非歩行中）を判別する（Ｓ５０１）。そして、１回目の判別動作においては、その判別結果を示す歩行フラグをメモリ２２２に保存し、２回目以降の判別動作においては、メモリ２２２に保存されている前回の判別結果と異なる場合に、その歩行フラグを書き替え、すなわち更新する（Ｓ５０２〜Ｓ５０３）。そして、メモリ２２２に保存された歩行フラグを表示制御部２３０に供給する（Ｓ５０４）。これにより、行動状態判別部２２０は、使用者Ｕの行動状態（歩行中／非歩行中）が変化した場合に、変化した行動状態を表示制御部２３０に通知する。
【００３５】
図６（ａ）および（ｂ）は、図４の表示制御部２３０の動作を示すフローチャートである。表示制御部２３０は、図６（ａ）に示す情報の表示制御と、図６（ｂ）に示す情報の非表示制御とを並行して実行する。ここでは、表示素子３４０に表示する情報の内容を所定の情報更新時間、例えば１分間隔で更新するものとする。
【００３６】
図６（ａ）に示す情報の表示制御においては、先ず、行動状態判別部２２０から通知された行動状態を示す歩行フラグが「True」、すなわち歩行中を示すものであるかをチェックする（Ｓ６０１）。その結果、「True」でない、すなわち非歩行中であることを示すものであれば、情報取得部２１０により通信ネットワークＮＷを介して表示すべき情報を取得する（Ｓ６０２）。また、表示制御部２３０は、表示素子３４０をＯＮにする制御信号を生成し、その制御信号を、取得した情報（映像データ）とともに送信データ変換部２４０および送信部２５０を経て表示ユニット３００に送信して、表示素子ドライブ部３３０により、表示素子３４０に情報を表示させる（Ｓ６０３）。その後、所定の情報更新時間が経過したら（Ｓ６０４）、Ｓ６０１に移行して歩行フラグをチェックする。
【００３７】
これに対し、Ｓ６０１において、歩行フラグが「True」である、すなわち歩行中であることを示すものであれば、Ｓ６０４に移行し、所定の情報更新時間経過後に、Ｓ６０１に移行してさらに歩行フラグをチェックする。表示制御部２３０は、上記のＳ６０１〜Ｓ６０４の処理を、例えば装置がＯＦＦになるまで繰り返す。
【００３８】
一方、図６（ｂ）に示す非表示制御においては、表示制御部２３０は、行動状態判別部２２０から歩行フラグの通知を受けると、その通知に基づいて内蔵メモリ（図示せず）の歩行フラグを更新する（Ｓ６１０）。そして、その更新の結果、歩行フラグが「True」であるかをチェックする（Ｓ６１１）。その結果、「True」でない、すなわち非歩行中であることを示すものであれば、Ｓ６０１に移行し、「True」である、すなわち歩行中であることを示すものであれば、表示制御部２３０は、表示素子３４０をＯＦＦにする制御信号を生成し、その制御信号を送信データ変換部２４０および送信部２５０を経て表示ユニット３００に送信して、表示素子ドライブ部３３０により表示素子３４０をＯＦＦ、つまり表示を停止し（Ｓ６１２）、処理を終了する。その他の構成および動作は、第１実施の形態と同様である。
【００３９】
このように、本実施の形態においては、使用者Ｕの非歩行中は表示素子３４０をＯＮにして情報を表示し、表示情報をあまり見ないと想定される歩行中は表示素子３４０をＯＦＦにして情報を表示しないようにしたので、装置の電力の消費をより効率的に削減することが可能となる。
【００４０】
（第３実施の形態）
図７は、本発明の第３実施の形態に係る情報表示装置の概略構成を示す機能ブロック図である。本実施の形態に係る情報表示装置１０２は、第１実施の形態や第２実施の形態に示した情報表示装置１００や１０１と比較して、表示ユニット３００側に行動状態判別部３５０が設けられている。また、携帯ユニット２００側には、送信データ変換部２４０および送信部２５０に代えて、データ処理部２６０および通信部２７０が設けられており、表示ユニット３００側には、受信部３１０および受信データ処理部３２０に代えて、通信部３６０およびデータ処理部３７０が設けられている。
【００４１】
この情報表示装置１０２においては、表示ユニット３００側に設けた行動状態判別部３５０により、第１実施の形態あるいは第２実施の形態で説明したように、使用者Ｕの歩行中／非歩行中を判別し、その判別結果を、データ処理部３７０により携帯ユニット２００への送信に適したデータに変換して、通信部３６０から有線または無線により携帯ユニット２００に送信する。そして、この使用者Ｕの行動状態の判別結果を示す信号を、携帯ユニット２００の通信部２７０により受信して、その受信信号をデータ処理部２６０により処理して表示制御部２３０に供給する。
【００４２】
これにより、表示制御部２３０において、第１実施の形態あるいは第２実施の形態で説明したように、使用者Ｕの歩行中／非歩行中に応じた表示ユニット３００の制御信号を生成する。そして、その生成した制御信号を、データ処理部２６０により表示ユニット３００への送信に適したデータに変換して、通信部２７０から有線または無線により表示ユニット３００に送信する。
【００４３】
また、携帯ユニット２００は、第１実施の形態あるいは第２実施の形態で説明したように、情報取得部２１０により通信ネットワークＮＷを介して表示すべき情報を取得し、その取得情報を、データ処理部２６０により表示ユニット３００への送信に適したデータに変換して、同様に、通信部２７０から有線または無線により表示ユニット３００に送信する。そして、表示ユニット３００は、携帯ユニット２００から送信される映像信号や制御信号を、通信部３６０により受信して、データ処理部３７０を経て表示素子ドライブ部３３０に供給する。
【００４４】
これにより、第１実施の形態で説明したように、使用者Ｕが歩行中は、非走行中の場合と比較して連続表示時間を短く制御するか、あるいは、第２実施の形態で説明したように、使用者Ｕの非歩行中は表示素子３４０をＯＮにして情報を表示し、歩行中は表示素子３４０をＯＦＦにして情報を表示しないように制御する。
【００４５】
本実施の形態によれば、使用者Ｕの頭部に装着される表示ユニット３００に、行動状態判別部３５０を設けて使用者Ｕの歩行中／非歩行中を判別するようにしたので、歩行中／非歩行中をより高精度で判別できる利点がある。
【００４６】
なお、本発明は、上記実施の形態にのみ限定されるものではなく、幾多の変形または変更が可能である。例えば、使用者の行動状態は、歩行中／非歩行中に限らず、使用者の姿勢等を判別して、姿勢に応じて連続表示時間を制御したり、表示／非表示を制御したりすることも可能である。また、上記実施の形態では、表示する情報（コンテンツ）を、通信ネットワークを介して取得するようにしたが、携帯ユニットに情報を格納する情報記憶部を設けて、該情報記憶部から所望の情報を読み出して表示するように構成することもできる。さらに、情報表示装置は、必ずしも携帯ユニットと表示ユニットとを有する分離型として構成する必要はなく、一体型として構成することも可能である。
【符号の説明】
【００４７】
Ｕ  使用者
ＮＷ  通信ネットワーク
１００，１０１，１０２  情報表示装置
２００  携帯ユニット
２１０  情報取得部
２２０  行動状態判別部
２３０  表示制御部
２４０  送信データ変換部
２５０  送信部
３００  表示ユニット
３１０  受信部
３２０  受信データ処理部
３３０  表示素子ドライブ部
３４０  表示素子
３５０  行動状態判別部
２６０  データ処理部
２７０  通信部
３６０  通信部
３７０  データ処理部
【図１】
0005603624.tif 000002
【図２】
0005603624.tif 000003
【図３】
0005603624.tif 000004
【図４】
0005603624.tif 000005
【図５】
0005603624.tif 000006
【図６】
0005603624.tif 000007
【図７】
0005603624.tif 000008